(57)【要約】      （修正有）【課題】組み立てる際に、内部のアンテナを支持するための部材が必要ない火災感知器を提供する。【解決手段】筐体内部に無線通信回路を含む電子部品が実装された回路基板４と、回路基板４に一端９Ａが接続されるとともに無線通信回路と接続された線状のアンテナ９を備えた火災感知器において、アンテナ９の他端９Ｂを、回路基板４に接続し、回路基板４は、アンテナ９の他端９Ｂが接続された位置から所定の範囲に電子部品および配線用のパターンを配置しない。【選択図】図２
2017049740.tif 000002
【特許請求の範囲】
【請求項１】
筐体内部に無線通信回路を含む電子部品が実装された回路基板と、該回路基板に一端が接続されるとともに前記無線通信回路と接続された線状のアンテナを備えた火災感知器において、
前記アンテナの他端を、前記回路基板に接続し、
前記回路基板は、前記アンテナの他端が接続された位置から所定の範囲に電子部品および配線用のパターンを配置しないことを特徴とする火災感知器。
【請求項２】
前記所定の範囲は、前記アンテナの他端が接続された位置を中心として、無線通信を行う無線周波数の波長の１／１０以上の長さであることを特徴とする火災感知器。
【発明の詳細な説明】
【技術分野】
【０００１】
本発明は、火災を検出すると火災信号を無線送信する火災感知器に関するものである。
【背景技術】
【０００２】
火災感知器には、火災を検出すると、自身で警報を鳴動させる住宅用火災警報器や火災報知設備の感知器として火災信号を受信機に送信するものなどがある。近年では、これらの火災感知器に無線通信機能を持たせて、火災信号等を無線で送受信する住宅用火災警報器や火災報知設備の感知器が商品化されている。無線通信を行うためのアンテナは、特許文献１のように美観をよくするために火災感知器の内部に設けられている。
【先行技術文献】
【特許文献】
【０００３】
【特許文献１】特開２０１１−２４８５４６号公報
【発明の概要】
【発明が解決しようとする課題】
【０００４】
しかしながら、内部にアンテナを設けるものでは、火災感知器を組み立てる際に、アンテナが邪魔にならないように、アンテナを支持するための部材が必要であった。
【課題を解決するための手段】
【０００５】
本発明に係る火災感知器は、筐体内部に無線通信回路を含む電子部品が実装された回路基板と、回路基板に一端が接続されるとともに無線通信回路と接続された線状のアンテナを備えた火災感知器において、アンテナの他端を、回路基板に接続し、回路基板は、アンテナの他端が接続された位置から所定の範囲に電子部品および配線用のパターンを配置しないことを特徴とする。
【発明の効果】
【０００６】
本発明によれば、アンテナを支持するための部材を用いることなく、アンテナを固定できるため、火災感知器の構造が簡便であり、組立が容易である。
【図面の簡単な説明】
【０００７】
【図１】本発明の実施の形態に係る火災感知器の説明図である。
【図２】図１におけるＡ−Ａ断面図である。
【発明を実施するための形態】
【０００８】
以下、本実施の形態では、電池で駆動される煙式の火災警報器に本発明を適用した場合を例に説明する。なお、火災警報器１は、天井面の図示しない取付ベースに、火災警報器１の本体ベース２を係合することにより取り付けられ、以降本体ベース２側が上部、カバー３側が下部となった状態における位置関係で説明する。
図１から図Ｘは、本発明の実施の形態に係る火災感知器１を示す図である。
図１に示すとおり、本実施の形態において、火災警報器１は、本体を構成する本体ベース２と、本体ベース２の下部に結合されたカバー３により構成される筐体を備え、その内部には各種電子部品が実装されたプリント基板４や電池９等が配置されている。本体ベース２とカバー３は樹脂材により成形されている。
【０００９】
筐体の内部には、火災に基づく煙を検出するための暗箱５が設けられている。暗箱５は、内部に図示しない発光素子及び受光素子を備えている。発光素子と受光素子は、発光素子の発する光が、通常は受光素子に入射しないように配置され、暗箱５に煙が流入すると発光素子の発する光が煙によって散乱し、受光素子に入射することで煙を検出している。
【００１０】
暗箱５は、上部に設けられたプリント基板４に搭載され、また、プリント基板４は、図示しない制御部、火災判別部及び無線通信回路を備えており、これらが火災警報器として動作するように、プリント基板４には配線用のパターンが形成されている。プリント基板４は、本体ベース２の上部側に設置された電池７と電気的に接続されており、火災警報器１は、電池７を電源として動作している。また、プリント基板４には無線通信用のアンテナ９が備えられている。火災警報器１は、アンテナ９を介して周辺に設置された他の火災警報器１と無線信号により相互の状態を確認している。
制御部は、発光素子を発光させたり、後述するスピーカ８に警報音を鳴動させたりしている。無線通信回路は、アンテナ９を介して無線信号を送受信する。火災判別部は、受光素子が受光したことに基づいて火災を判別し、火災と判断した場合は制御部に信号を送信する。
【００１１】
カバー３は、円盤状の保護板３１と、放射状に形成されて保護板３１を支える支柱３２
と、支柱３２の間に形成された通気路３３と、ボタン穴３４と、円筒状の周壁３５を備える。保護板３１は、皿形のカバー３の底部に設けられて、暗箱５の外部を覆って外力等から保護する。通気路３３は、外気と暗箱５とをつなぐ空気の通路である。ボタン穴３４は、後述する点検スイッチボタン６を、カバー３の底面側に露出させるための穴である。
点検スイッチボタン６は、火災警報器１の機能を確認する点検機構を動作させるためのものであり、居住者等のユーザによる押下操作を受け付ける。
【００１２】
アンテナ９は、図２のような、金属製の線材からなり、筐体に収納したときにカバー３の周壁３５と所定の間隔を開けて略平行になるように、略円弧状に形成されている。アンテナ９の一端９Ａは、プリント基板４に接続され固定され、配線用のパターンにより無線通信回路と接続されている。アンテナ９の他端９Ｂは、プリント基板４に接続されて固定されているが、配線用のパターンは接続されていない。アンテナ９の他端９Ｂがプリント基板４に接続された位置から、所定の範囲に電子部品および配線用のパターンを配置しないことにより、アンテナ９から放出される無線電波の電波強度および指向性に影響を与えないようにしている。なお、所定の範囲として、アンテナ９の他端９Ｂが接続された位置を中心として、無線周波数の波長の１／１０以上の長さを半径とした円とすると、無線電波への影響がほぼ無くなる。
【００１３】
次に、本実施の形態の動作について説明する。なお、以下の説明では、住戸内に複数の火災警報器１が設置されている場合に、火災が発生した際の無線連動動作について説明する。
「火災を感知した火災警報器１の動作」
火災により煙粒子が発生すると、煙粒子は天井面に向かって上昇するとともに、天井面に沿って流れる。天井面に沿って流れた煙は、天井面に設置された火災警報器１の通気路３３を通過して暗箱５に流入する。
【００１４】
暗箱５に流入した煙粒子は、発光素子の発する光と衝突し、散乱光を発生させる。散乱光が受光素子に受光されると、受光素子は、火災判別部に出力信号を送出する。受光素子からの出力信号を受信した火災判別部は、火災を判別する。火災判別部は、火災と判断すると、制御部に信号を送信し、この信号を受信した制御部は、自身のスピーカ８から警報を発するとともに、火災信号をアンテナ９より無線送信する。
【００１５】
「他の火災警報器１が無線送信した火災信号を受信した火災警報器１の動作」
他の火災警報器１が火災を感知し、警報を発するとともに、火災信号を無線送信すると、アンテナ９を介してこの火災信号を受信した火災警報器１は、自身のスピーカ８から警報を発する。このときの警報は、自身が火災を感知した場合と同じ警報音でもよいし、異なる警報音としてもよい。また、他の火災警報器１が無線送信した火災信号を受信した火災警報器１は、さらに火災信号を無線送信してもよい。
【符号の説明】
【００１６】
１  火災警報器、２  本体ベース、３  カバー、４  プリント基板、５  暗箱、６  点検スイッチボタン、７  電池、８  スピーカ、９  アンテナ、９Ａ  一端、９Ｂ  他端
【図１】
2017049740.tif 000003
【図２】
2017049740.tif 000004